(57)【特許請求の範囲】
【請求項１】
多角錐台を構成する複数の側面、および向かい合う大小２つの平行な底面で構成される筐体からなるスピーカボックスであって、
前記平行な底面のうち、大きい側の底面にスピーカユニットを設置するユニット設置部が設けられ、
前記側面のうち、少なくとも１つの面が載置面となっており、
該載置面に対して前記筐体の上部で対向する上面の外側の側面から上面方向に延び、前記上面と所定間隔離れた位置で垂直に折れ曲がって前記上面に平行に配置されたハンドル部が設けられていることを特徴とするスピーカボックス。
【請求項２】
前記大きい側の底面に、前記多角錐台と同じ数の側面を有する角筒形状のフロントカバーが接続されたことを特徴とする請求項１に記載のスピーカボックス。
【請求項３】
前記フロントカバーは、前記筐体に接続される側の一方の底面が全て開口していることを特徴とする請求項２に記載のスピーカボックス。
【請求項４】
前記フロントカバーは、前記一方の底面と平行に向かい合う他方の底面の面積が、前記一方の底面の面積よりも小さくなっていることを特徴とする請求項３に記載のスピーカボックス。
【請求項５】
前記フロントカバーと、前記筐体との間に保護部材が挟み込まれたことを特徴とする請求項２乃至請求項４のいずれかに記載のスピーカボックス。
【請求項６】
前記平行な底面のうち、小さい側の底面に、端子類設置部が設けられたことを特徴とする請求項１乃至請求項５のいずれかに記載のスピーカボックス。
【請求項７】
請求項６に記載のスピーカボックスと、
前記ユニット設置部に設置されるスピーカユニットと、
前記端子類設置部に設置される音声入力端子と、
を備えたことを特徴とするスピーカ装置。
【請求項８】
前記載置面と平行に向かい合う側面に、オーディオプレーヤを載置するオーディオプレーヤ搭載部を備えたことを特徴とする請求項７に記載のスピーカ装置。
【発明の詳細な説明】
【技術分野】
【０００１】
この発明は、スピーカボックスの構造に関するものである。
【背景技術】
【０００２】
従来、スピーカユニットが取り付けられるスピーカボックスの構造は、例えば特許文献１，２のようなものが提案されている。
【０００３】
特許文献１のスピーカ装置は、扇形配列で吊り下げ可能となるように、各スピーカ装置の筐体構造を多角錐形としたものである。
【０００４】
また、特許文献２のスピーカ装置は、三角錐形状を有する筐体の一面にスピーカユニットを設けている。
【先行技術文献】
【特許文献】
【０００５】
【特許文献１】実開平５−４６９５号公報
【特許文献２】実開平７−３９１９１号公報
【発明の概要】
【発明が解決しようとする課題】
【０００６】
しかし、特許文献１，２のような角錐形状の筐体構造では、一般的な直方体形状の筐体構造に比べてエンクロージャ容積が小さくなる。仮に、角錐形状の筐体構造でエンクロージャ容積を大きくしようとすると、奥行きが長くなり過ぎてしまう。
【０００７】
そこで、本発明は、奥行き長さを抑えながらもエンクロージャ容積を確保するスピーカボックスを提供することを目的とする。
【課題を解決するための手段】
【０００８】
この発明のスピーカボックスは、多角錐台を構成する複数の側面、および向かい合う大小２つの平行な底面で構成される筐体からなるスピーカボックスである。そして、前記平行な底面のうち、大きい側の底面にスピーカユニットを設置するユニット設置部が設けられ、前記側面のうち、少なくとも１つの面が載置面となっていることを特徴とする。
【０００９】
このように、筐体形状を角錐台とすることで、同じ奥行き長さの角錐形状のスピーカボックスに比べて、エンクロージャ容積を大きくすることができる。また、側面を載置面とすることで、スピーカユニットが水平方向からわずかに斜め上方に向くことになる。また、角錐台形状とすることで、他の側面や面積の小さい側の底面を載置面とすることも可能であり様々な置き方が可能になる。
【００１０】
また、本発明のスピーカボックスは、前記平行な底面のうち、小さい側の底面に、端子類設置部が設けられた態様も可能である。
また、前記大きい側の底面に、前記多角錐台と同じ数の側面を有する角筒形状のフロントカバーが接続された態様も可能である。
【００１１】
この場合、前記フロントカバーは、前記筐体に接続される側の一方の底面が全て開口していることで、樹脂一体成型で製造するときに、金型から正面側に抜き出すことができるようになっている。
【００１２】
また、フロントカバーは、前記一方の底面と平行に向かい合う他方の底面の面積が、前記一方の底面の面積よりも小さくなっていることで、上記製造時に、金型から正面方向に抜き出しやすいようになっている。
【００１３】
また、フロントカバーと、筐体との間に保護部材が挟み込まれたことで、ユニット設置部に設置するスピーカユニットを保護することも可能である。
【００１４】
上記本発明のスピーカボックスは、前記ユニット設置部にスピーカユニットを設置し、
前記端子類設置部に音声入力端子を設置し、スピーカ装置として用いることが可能である。
【００１５】
さらに、前記載置面と平行に向かい合う側面に、オーディオプレーヤを載置するオーディオプレーヤ搭載部を備える態様も可能である。
【発明の効果】
【００１６】
この発明によれば、奥行き長さを抑えながらもエンクロージャ容積を確保することができる。
【図面の簡単な説明】
【００１７】
【図１】スピーカ装置の正面斜視図である。
【図２】スピーカ装置の背面斜視図である。
【図３】スピーカ装置の上面図である。
【図４】スピーカ装置の正面図である。
【図５】スピーカ装置の背面図である。
【図６】スピーカ装置の左側面図（一部透過図）である。
【図７】フロントカバーのないスピーカ装置の正面斜視図である。
【図８】スピーカ装置の他方の底面を水平面に設置した場合の図である。
【図９】図９（Ａ）は、オーディオプレーヤを搭載したスピーカ装置の左側面図であり、図９（Ｂ）は一部透過側面図である。
【図１０】携帯オーディオプレーヤを搭載した状態でスピーカ装置の他方の底面を水平面に設置した場合の図である。
【図１１】スピーカ装置の他方の底面を水平面に設置した場合の図である。
【図１２】ハンドルの応用例を示す図である。
【発明を実施するための形態】
【００１８】
図１乃至図６の外観構造図を参照して、本発明のスピーカボックスを備えたスピーカ装置について説明する。本実施形態において、スピーカ装置の正面方向はｚと記載し、背面方向は−ｚと記載する。また、上面方向はｙと記載し、下面方向は−ｙと記載し、右面方向はｘと記載し、左面方向は−ｘと記載する。
【００１９】
スピーカ装置１は、スピーカボックスである八角錐台形状の筐体１１と、筐体１１の正面側の底面に設けられたスピーカユニット１２と、を備えている。筐体１１の正面には八角筒形状のフロントカバー１３が接続されている。なお、本実施形態の筐体１１は、八角錐台形状について説明するが、例えば、三角錐台、五角錐台、六角錐台等、複数の側面を有する多角錐台形状であれば、どの様な形状の筐体であっても本発明の技術的範囲に属する。
【００２０】
筐体１１の背面側の底面には、開口部１９および端子類２０が設けられている。筐体１１は、正面側の底面の面積が背面側の底面の面積よりも広くなっている。
【００２１】
本実施形態に示す筐体１１は、側面部品１０１、正面側の底面部品１０２、および背面側の底面部品１０３の３つ部品からなる。ただし、例えば背面側の底面部品１０３と側面部品１０１を一体化する等して、部品数を減らすことも可能であるし、側面部品１０１を８つに分ける等してさらに細分化して部品数を増やすことも可能である。
【００２２】
筐体１１の側面部品１０１は、金属素材からなり、正面側の底面部品１０２は木材からなり、背面側の底面部品１０３は樹脂素材からなる。各部品の素材は、この例に限らず、必要とする音質や筐体強度に応じて適宜変更可能である。
【００２３】
筐体１１の正面側の底面部品１０２は、２つのスピーカユニット１２を設置するために、円形状の孔が２カ所設けられている。この２カ所の孔が本発明のユニット設置部となる。底面部品１０２は、スピーカユニット１２を固定し、スピーカユニット１２の正面側と背面側を空間的に隔離するバッフルの機能を果たす。筐体１１の側面部品１０１のうち、正面側には、底面が八角形の角筒形状のフロントカバー１３が接続されている。フロントカバー１３は、背面側の底面が全て開口しており、側面部品１０１の正面側と接続され、正面側の底面部品１０２の周囲を挟むことができるようになっている。フロントカバー１３の正面側の底面は、一部が円形状に、角筒内部に向かって円錐台状に絞り込まれるように開口している。この絞り込まれている部分の途中には、８カ所の円柱状の凹み部分が等間隔設けられている。フロントカバー１３は、この凹み部分で側面部品にねじ止めされている。
【００２４】
このようにしてフロントカバー１３は、スピーカユニット１２の底面部品１０２を側面部品１０１に押しつけ、固定する機能を有する。また、フロントカバー１３と筐体１１の底面部品１０２との間には、パンチングメタル１４が挟み込まれている。このパンチングメタル１４は、スピーカユニット１２の正面全体を覆い、スピーカユニット１２を保護部材として機能を有する。
【００２５】
なお、フロントカバー１３は、上述のように、背面側の底面は全て開口しているため、フロントカバー１３を樹脂一体成型で製造するときに、金型から正面側に抜き出すことができるようになっている。このとき、フロントカバー１３の正面側の底面積が背面側の底面積よりもわずかに小さくなっていることで、上記製造時に、金型から正面方向に抜き出しやすいようになっている。
【００２６】
ただし、フロントカバー１３は、本発明において必須の構成ではない。例えば、図７に示すように、底面部品１０２を側面部品１０１にねじ止めする等して固定することも可能である。
【００２７】
なお、本実施形態のスピーカユニット１２は、相対的に振動板面積の大きい低音用のスピーカユニットと相対的に振動板面積の小さい中高音用スピーカユニットの２つ設けられているが、同じ大きさのスピーカユニットを２つ設ける態様であってもよいし、ユニットの数は１つであってもよいし、さらに多数設ける態様であってもよい。
【００２８】
筐体１１の底面部品１０３は、底面が八角形の薄い板状の樹脂部材であり、筐体１１の内部で側面部品にねじ止めされている。底面部品１０３は、このようにして筐体１１の背面を密封し、筐体１１をエンクロージャとして機能させる。
【００２９】
また、底面部品１０３の一部は、角が丸い長方形状に開口した開口部１９を有する。この開口部１９は、筐体１１のエンクロージャと外部を空気的に導通するバスレフポートとして機能する。
【００３０】
また、底面部品１０３には、端子類２０を設置するための孔が複数設けられている。この孔が本発明の端子類設置部に想到する。ただし、これら端子類２０の周囲は、シリコンゴム等の通気性のない弾性体で密封されている。すなわち、端子類２０の各形状に合わせた孔を有するシリコンゴムが当該端子類２０の周囲に押しつけられ、端子類２０は、このシリコンゴムが押しつけられた状態で、底面部品１０３の筐体内部側でねじ止めするなどして固定されている。
【００３１】
端子類２０は、電源端子や音声入力端子からなる。ライン入力端子から入力されたアナログ音声信号は、スピーカ装置１に内蔵されているパワーアンプ（不図示）で増幅され、スピーカユニット１２に供給され、筐体１１の正面方向に音として出力される。また、開口部１９からは、低音成分が放出される。なお、スピーカ装置１にＤ／Ａコンバータを内蔵し、デジタル音声信号を入力してアナログ音声に変換する態様としてもよい。
【００３２】
一方、図４乃至図６に示したように、筐体１１の側面部品１０１のうち、下面方向（−ｙ方向）には、脚部２１が設けられている。この脚部２１を地面等の水平面に接触させることで、側面部品１０１の下面側を載置面として、スピーカ装置１を安定して地面等に載置させることができる。ただし、脚部２１は本発明において必須の構成ではない。
【００３３】
このような角錐台形状の筐体１１を有するスピーカボックスは、同じ奥行き長さの角錐形状のスピーカボックスに比べ、エンクロージャとしての容積が大きく、一般的な直方体形状の筐体構造に近い容積を有する。また、図６に示すように、側面部品１０１のいずれか一面を地面等の水平面に載置したとき、スピーカユニットが水平方向からわずかに斜め上方に向くことになる。
【００３４】
また、図８に示すように、筐体１１の背面側を載置面として、地面等の水平面に接触させることも可能である。なお、背面には端子類２０が設けられているが、これら端子類は、全て突起のないメス型端子であるため、背面側を水平面に接触させることに支障はない。また、スピーカ装置１は、電池（不図示）を内蔵しているため、電源ケーブルを接続しない状態でも駆動可能である。図８に示す例の場合、スピーカユニット１２の放音方向が鉛直上向きとなることで、スピーカ装置１の全周方位に無指向で音を出力させることができる。この様な全周方位に音声を出力する態様は、特に、スピーカ装置１を屋外に設置する等、聴取者が一定の位置に存在しない場合に好適である。
【００３５】
次に、図１乃至図６において、筐体１１の側面部品１０１のうち、上面部分に設けられた台座３１について説明する。台座３１は、側面部品１０１のうち、上面側の一面から上面方向に張り出した四角錐台形状となっている。台座３１の側面は、筐体１１の側面部品１０１と一体成型され、当該台座３１の上面は、板状の樹脂部材からなる。台座３１の上面は、側面部品１０１よりも正面側に張り出し、フロントカバー１３の上面と平行になっている。
【００３６】
台座３１の上面には、電源スイッチやボリュームスイッチ等からなるユーザインタフェース１５、携帯オーディオプレーヤを載置するオーディオプレーヤ搭載部１７、および携帯オーディオプレーヤに接続されるコネクタ１８が設けられている。
【００３７】
スピーカ装置１は、コネクタ１８を介して接続された携帯オーディオプレーヤからデジタル音声信号を入力する。入力されたデジタル音声信号は、内蔵されているＤ／Ａコンバータ（不図示）でアナログ音声信号に変換され、パワーアンプ（不図示）で増幅され、スピーカユニット１２に供給され、筐体１１の正面方向に音として出力される。また、開口部１９からは、低音成分が放出される。なお、スピーカ装置１にデコーダを内蔵し、携帯オーディオプレーヤからはＭＰ３等のエンコードデータを入力し、当該デコーダでデコードする態様としてもよい。無論、携帯オーディオプレーヤからアナログ音声信号を入力する態様であってもよい。このように、スピーカ装置１は、オーディオレシーバとしての機能も有する（ただし、本発明においてレシーバとしての機能は必須ではない）。
【００３８】
図９（Ａ）は、オーディオプレーヤを搭載したスピーカ装置の左側面図であり、図９（Ｂ）は一部透過側面図である。
【００３９】
オーディオプレーヤ搭載部１７は、台座３１の上面が角錐台状に凹んだ構造であり、当該凹んだ部分の上面にコネクタ１８が設けられている。コネクタ１８は、背面方向に向かって斜めに傾いて設置され、携帯オーディオプレーヤを斜めに傾いて設置するようになっている。これにより、携帯オーディオプレーヤを載置した状態で、当該携帯オーディオプレーヤの正面部分を上方から視認しやすいようになっている。
【００４０】
ただし、携帯オーディオプレーヤが斜めに傾くと、不安定な状態で筐体１１に載置されることになる。そこで、本実施形態のスピーカ装置１は、ユーザがスピーカ装置１を手で持ち運ぶためのハンドル１６を用いて携帯オーディオプレーヤを固定することができるようになっている。
【００４１】
ハンドル１６は、棒状の金属部材からなり、台座３１の左右を挟むように、筐体１１の側面部品１０１から上面方向に延び、台座３１から所定距離（例えば１０ｃｍ程度）離れた位置で垂直に折れ曲がって台座３１の上面に平行に配置されるようになっている。
【００４２】
ハンドル１６は、筐体１１の側面部品１０１にねじ止めされている。すなわち、図６の破線に示すように、筐体１１の側面部品１０１は、ハンドル１６の端部をはめ込むために、円柱状に凹んだ凹部５１を有する。ハンドル１６の端部は、この凹部５１に差し込まれ、筐体１１の内部からねじ５２によって強固に固定されるようになっている。凹部５１のねじ５２が差し込まれる箇所は、ねじ穴が開けられているが、ねじ５２が差し込まれることで、このねじ穴が埋められるため、エンクロージャの密封性に影響はない。ユーザは、ハンドル１６の台座３１に平行な部分をつかむことで、スピーカ装置１を持ち運ぶことができる。また、ハンドル１６をフック等に掛けることで、スピーカ装置１を吊り下げ用とすることもできる。
【００４３】
また、ハンドル１６は、コネクタ１８の設置位置よりも背面側で、当該コネクタ１８の傾きと同じ角度で上面方向に延びている。したがって、図９（Ａ）および図９（Ｂ）に示すように、携帯オーディオプレーヤをこのハンドル１６にもたれさせることで、携帯オーディオプレーヤをコネクタ１８の傾きと同じ角度で設置することができ、携帯オーディオプレーヤが背面方向に傾斜することを防止することができる。このように、携帯オーディオプレーヤは、ハンドル１６によって、背面側にはこれ以上傾くことがないため、ユーザが携帯オーディオプレーヤをコネクタ１８から抜き差しする際に、背面側にさらに傾けてしまうことを防止し、コネクタ１８の損傷を防止することができる。
【００４４】
また、図１０に示すように、筐体１１の背面側を地面等の水平面に接触させる場合、ハンドル１６が携帯オーディオプレーヤを支えることになり、安定して携帯オーディオプレーヤを載置することができる。
【００４５】
一方、携帯オーディオプレーヤを搭載しない場合には、図１１に示すように、ハンドル１６を水平面に接触させてスピーカ装置１の上面側を鉛直下方向にして載置することができる。あるいは携帯オーディオプレーヤの高さがハンドル１６の高さよりも低い場合、携帯オーディオプレーヤを搭載したままでもスピーカ装置１の上面側を鉛直下方向にして載置することができる。
【００４６】
この場合、スピーカ装置１の下面側を水平面に接触させるよりも、スピーカユニット１２が大きく斜め上方向（４５度程度）に向くことになる。したがって、使用状況に応じて、音の放出方向を変更することができる。つまり、本実施形態のスピーカ装置１は、スピーカユニットが水平方向からわずかに斜め上方に向く状態と、スピーカユニットが４５度程度の上方に向く状態と、スピーカユニットが真上方向に向く状態と、を選択することができるようになっている。
【００４７】
また、ハンドル１６およびコネクタ１８は、多角錐台形状の筐体に限るものではなく、図１２（Ａ）に示すような一般的な直方体形状のスピーカ装置の筐体に取り付けることも可能である。
【００４８】
また、レシーバ機能を有したスピーカ装置に限らず、図１２（Ｂ）に示すように、レシーバ装置の筐体上面にハンドル１６およびコネクタ１８を設ける応用例も可能である。
【００４９】
いずれの場合も、ユーザは、ハンドル１６をつかむことで、装置を持ち運ぶことができ、携帯オーディオプレーヤが背面方向に傾斜することを防止することができる。
【符号の説明】
【００５０】
１…スピーカ装置
１１…筐体
１２…スピーカユニット
１３…フロントカバー
１４…パンチングメタル
１５…ユーザインタフェース
１６…ハンドル
１７…オーディオプレーヤ搭載部
１８…コネクタ
１９…開口部
２０…端子類
２１…脚部
３１…台座
５１…凹部
１０１…側面部品
１０２…底面部品
１０３…底面部品
【図１】
0005786607.tif 000002
【図２】
0005786607.tif 000003
【図３】
0005786607.tif 000004
【図４】
0005786607.tif 000005
【図５】
0005786607.tif 000006
【図６】
0005786607.tif 000007
【図７】
0005786607.tif 000008
【図８】
0005786607.tif 000009
【図９】
0005786607.tif 000010
【図１０】
0005786607.tif 000011
【図１１】
0005786607.tif 000012
【図１２】
0005786607.tif 000013